(57)【要約】【課題】構造が簡単で、ある程度の引張り力が加わると、筆記具から紐部材が外れる及び紐によって形成される環状部分をなくすことができ、かつ紐の長さ調節が可能な紐部材付き筆記具を提供する。【解決手段】複数の筆記具用部品で構成される筆記具に、弾性体で形成した紐部材を着脱自在に装着してなる紐部材付き筆記具であって、前記紐部材の紐部の両端に、一部に切欠きを有する略環状体を形成し、該紐部材の略環状体を、前記紐部材の紐部に着脱自在に係合することにより、首等に吊り下げ可能な環状部分を形成するとともに、前記紐部材の一部に、凸状の係合部を一体に形成し、該係合部を前記筆記具用部品に、直接又は連結部材を介して着脱自在に係合する。【選択図】        図１
2004314484.tif 000002
【特許請求の範囲】
【請求項１】
複数の筆記具用部品で構成される筆記具に、弾性体で形成した紐部材を着脱自在に装着してなる紐部材付き筆記具であって、前記紐部材の紐部の両端に、一部に切欠きを有する略環状体を形成し、該紐部材の略環状体を、前記紐部材の紐部に着脱自在に係合することにより、首等に吊り下げ可能な環状部分を形成するとともに、前記紐部材の一部に凸状の係合部を一体に形成し、該係合部を前記筆記具用部品に、直接又は連結部材を介して着脱自在に係合したことを特徴とする紐部材付き筆記具。
【請求項２】
前記紐部材に、表示窓部を一体に形成したことを特徴とする請求項１に記載の紐部材付き筆記具。
【請求項３】
前記筆記具用部品が、軸筒の先端部に着脱自在に装着するキャップであって、該キャップの頭部に貫通孔を形成し、該貫通孔に前記紐部材の係合部を係合するとともに、前記キャップを軸筒先端部に装着した状態で、筆記先端部が前記係合部に当接することを特徴とする請求項１ないし２に記載の紐部材付き筆記具。
【発明の詳細な説明】
【０００１】
【発明の属する技術分野】
本発明は、紐部材を着脱自在に装着してなる紐部材付き筆記具に関する。
【０００２】
【従来の技術】
従来から、ボールペン等の筆記具に紐部材を装着しているものは知られている。こうした紐部材付きの筆記具は、紐部材を首から掛けている状態で、紐部材が何かに引っ掛かって首を締め付けられない様に、ある程度の力が加わると、筆記具から紐部材が外れたり、紐によって形成される環状部分がなくなるように紐部材の結び方や取付構造に工夫し、安全対策を取っている。
【０００３】
【発明が解決しようとする課題】
しかしながら、前記した従来の安全対策は、紐部材と筆記具との係合方法又は紐部材による環状部の形成方法のみであったため、紐部材が絡みあう等、紐部材と筆記具との係合部又は紐部材による環状部の形成部分に力が加わり難い状態が発生した場合や係合部に何らかの不具合が発生した場合に、筆記具から紐部材が外れにくいという問題があった。
【０００４】
ところで、使用者や使用目的によって紐の長さを調節可能な紐部材付きの筆記具としては、実開平７−３５０９１号公報「安全機能の付いた紐付き物品」に、アジャスターによって紐の長さを調節可能な紐部材付きの筆記具が開示されている。
【０００５】
確かに、前記したアジャスターによって紐の環状部分は小さくなるが、アジャスターから飛び出した余った紐は、そのままの状態であり、余った紐が何かに引っ掛かかることが危惧される。
【０００６】
本発明は上記問題を鑑み、構造が簡単で、ある程度の引張り力が加わると、筆記具から紐部材が外れる及び紐によって形成される環状部分をなくすことができ、かつ紐の長さ調節が可能な紐部材付き筆記具を提供するものである。
【０００７】
【課題を解決するための手段】
前記目的を達成するために本発明では、複数の筆記具用部品で構成される筆記具に、弾性体で形成した紐部材を着脱自在に装着してなる紐部材付き筆記具であって、前記紐部材の紐部の両端に、一部に切欠きを有する略環状体を形成し、該紐部材の略環状体を、前記紐部材の紐部に着脱自在に係合することにより、首等に吊り下げ可能な環状部分を形成するとともに、前記紐部材の一部に凸状の係合部を一体に形成し、該係合部を前記筆記具用部品に、直接又は連結部材を介して着脱自在に係合する。
【０００８】
また、前記紐部材に、表示窓部を一体に形成する。
【０００９】
またさらに、前記筆記具用部品が、軸筒の先端部に着脱自在に装着するキャップであって、該キャップの頭部に貫通孔を形成し、該貫通孔に前記紐部材の係合部を係合するとともに、前記キャップを軸筒先端部に装着した状態で、筆記先端部が前記係合部に当接することを特徴とする請求項１ないし２に記載の紐部材付き筆記具。
【００１０】
本発明の紐部材には、シリコーンゴム、ブチルゴム、スチレン系エラストマー、オレフィン系エラストマー等の弾性変形可能な弾性体を適宜選択して使用することができる。
【００１１】
また、本発明の筆記具用部品とは、軸筒、キャップ、クリップ、尾栓等、一般的に知られている筆記具を構成する部品のことであり、この筆記具用部品に、紐部材を直接又は連結部材を介して着脱自在に係合するが、圧入係合や凹凸係合等、一定の引張り力によって外れる係合方法を適宜選択することができる。また、連結部材を使用する場合には、紐部材と連結部材の係合、及び連結部材と筆記具用部品との係合を一定の引張り力によって外れる係合方法とするほうが好ましい。
【００１２】
【発明の実施の形態】
本発明の実施の形態を、図面を用いて説明する。
図１から図５に示す紐部材付き筆記具１は、軸筒２内に、先端にボールペンチップ３を装着したレフィルを収納し、軸筒２の先端部にクリップ５を一体に形成したキャップ４を、着脱自在に嵌合したキャップ式筆記具であり、ボールペンチップ３は、キャップ４内に配設したシール材に当接させた構造である。
【００１３】
紐部材７は、オレフィン系エラストマーからなり、この紐部材７の両端に、切欠き部９ａを有するＣリング状の略環状体９を形成し、中間部には略球状体からなる凸状の係合部１０を一体に形成してある。
【００１４】
図４に示すように、紐部材７の紐部８がラップするように位置（図４のＢの矢印Ｆ方向）させ、紐部材７の両端の略環状体９を紐部材７の紐部８に係合（図４のＣ）して、首に吊り下げ可能な環状部分Ｒを形成する。略環状体９の切欠き部９ａを紐部８に当接させ押し込むことにより、略環状体９は、弾性変形により拡がる（図４のＣの矢印Ｇ方向）ので簡単に装着でき、紐部８の任意の位置に装着できるので、長さ調節が可能である。また、紐部材７は弾性体で形成したあるので拡がった切り欠き部９ａは、装着後、元に戻る。また、略環状体の内径は、紐部材の径と同等以下としてある。
【００１５】
首に吊り下げ可能な環状部分Ｒを形成してなる紐部材７の凸状の係合部１０を、キャップ４の頭部に形成した貫通孔（凹み部）４ａに係合し、紐部材付きの筆記具を得ている。凸状の係合部や凹み部の形状は特に限定されないので、キャップの頭冠部に、消しゴムを収納するホルダー部を有する場合には、このホルダーに対応した凸状の係合部を形成すれば、新たに凸状の係合部に対応する凹み部を形成する必要がないため、従来の筆記具をそのまま使用することができる。
【００１６】
紐部材７に引張り力Ｈが加わると凸状の係合部１０及び略環状体９に力が加わり、キャップの貫通孔４ａと係合部１０の嵌合力を越えると、係合部１０がキャップ４から外れる。同様に、引張り力Ｈは略環状体９にも加わるので、先ず、図４のＤに示すように略環状体９が移動（図４の矢印Ｈ方向）し、環状部分Ｒの径を広げ、さらに引張り力Ｈが、切り欠き部９ａの間隙が紐部８の径より大きく拡がる力になると、略環状体９と紐部８との係合が外れ、紐部材７によって形成される環状部分Ｒがなくなる。
【００１７】
本発明の紐部材７は、その両端の略環状体９に、切欠き部９ａを形成することにより、略環状体９を紐部８に簡単に係合しやすい。また、略環状体９を紐部８の任意の箇所に係合可能なので、長さ調節しても余剰な紐部８は、紐部８同士は、図４のＣ、Ｄ上面図に示すように重なり合うだけなので、余った紐部が何かに引っ掛かかる心配はない。
【００１８】
また、図６に示す第２の実施の形態における紐部材付き筆記具２１は、クリップ２５を一体に形成したキャップ２４の頭部に貫通孔２４ａを形成し、この貫通孔２４ａに紐部材７の凸状の係合部１０を係合し、キャップ２４を軸筒２の先端部に装着した状態で、ボールペンチップ３を係合部１０に当接させることで、シール材の効果を兼務するので、シール材が不用となる。
【００１９】
本発明は、紐部材を弾性体で形成してあるので、仮に紐部材が捩じれても元の状態に戻りやすく、また絡み合いにくい。さらに、紐部材が何かに引っ掛かっても、弾性変形可能な弾性体で形成することにより、より首を締め付けられることがない。また、紐部材を熱可塑性エラストマーで形成することによって、表示部１１を一体に形成することができる。
【００２０】
尚、本実施例では、便宜上、キャップの頭部に紐部材の凸状の係合部を係合しているが、クリップ部材のクリップ片や基部、軸筒、尾栓等、一般的に知られている筆記具を構成する筆記具用部品に係合してもよい。
【００２１】
【発明の効果】
本発明は前述した構成なので、構造が簡単で、ある程度の引張り力が加わると、筆記具から紐部材が外れる及び紐によって形成される環状部分をなくすことができ、かつ紐の長さ調節が可能な紐部材付き筆記具を提供することができた。
【図面の簡単な説明】
【図１】第１の実施の形態を示す、紐部材付き筆記具の縦断面図である。
【図２】第１における、一部省略した要部拡大図である。
【図３】第１における、一部省略した紐部材の拡大図である。
【図４】紐部材の環状体を紐部に取り付ける状態を示した図である。
【図５】キャップの貫通孔から紐部材の凸状の係合部が外れた状態を示す、一部省略した拡大縦断面図である。
【図６】第２の実施の形態を示す、紐部材付き筆記具の縦断面図である。
【符号の説明】
１、２１  紐部材付き筆記具
２  軸筒
３  ボールペンチップ
４、２４  キャップ
４ａ、２４ａ  貫通孔（凹み部）
５、２５  クリップ
６  シール材
７  紐部材
８  紐部
９  環状体
９ａ  切欠部
１０  凸状の係合部
１１  表示部
Ｒ  環状部分
【図１】
2004314484.tif 000003
【図２】
2004314484.tif 000004
【図３】
2004314484.tif 000005
【図４】
2004314484.tif 000006
【図５】
2004314484.tif 000007
【図６】
2004314484.tif 000008